(57)【要約】  画面上にデータを同時に表示する方法であって；方法は：ｉ．可能な操作のリストから、実行可能な操作を選択するのを手助けするリクエストを受信するステップ；ｉｉ．前記操作を実行した結果の値の変化に関連する第１のオンラインデータを取り出すステップ；ｉｉｉ．１つまたは複数の戦略プロバイダの優先、活動および実績に関連する第２のデータをデータリポジトリから取り出すステップ；およびｉｖ．第１のデータおよび第２のデータを遠隔のコンピュータ化された機器のディスプレイ上で利用可能にするために、第１のデータおよび第２のデータを遠隔のコンピュータ化された機器に同時に送信するステップを備える。【選択図】図６
2014512592.tif 000002
【特許請求の範囲】
【請求項１】
画面上にデータを同時に表示する方法であって：
ｉ．可能な操作のリストから、実行可能な操作を選択するのを手助けするリクエストを受信するステップ；
ｉｉ．前記操作を実行した結果の値の変化に関連する第１のオンラインデータを取り出すステップ；
ｉｉｉ．データリポジトリから、１つまたは複数の戦略プロバイダの優先、活動および実績に関連する第２のデータを取り出すステップ；および
ｉｖ．遠隔のコンピュータ化された機器のディスプレイ上で前記第１のデータおよび前記第２のデータを同時に利用可能にするために、前記遠隔のコンピュータ化された機器に前記第１のデータおよび前記第２のデータを同時に送信するステップ
を備える方法。
【請求項２】
金融商品を購入するための命令を受信するステップをさらに備える、請求項１に記載の方法。
【請求項３】
内科または外科的処置を実施するための命令を受信するステップをさらに備える、請求項１に記載の方法。
【請求項４】
投薬計画を実施するための命令を受信するステップをさらに備える、請求項１に記載の方法。
【請求項５】
物流手順を実施するための命令を受信するステップをさらに備える、請求項１に記載の方法。
【請求項６】
処理操作を実施するための命令を受信するステップをさらに備える、請求項１に記載の方法。
【請求項７】
前記命令を実行するステップをさらに備える、請求項１に記載の方法。
【請求項８】
前記実行するステップのやり方が、操作する、伝達する、交換する、置換する、誘導する、配置する、位置を突き止める、供給する、判定する、見つけ出す、選択する、取得する、取り除く、売却する、追加する、減じる、契約する、連絡する、購入する、販売する、カテゴリ化する、シミュレートする、分類する、表示する、計算する、ダウンロードする、アップロードする、プッシュする、プルする、および送信するからなるグループから選択される、請求項１に記載の方法。
【請求項９】
金融商品を販売するための販売指示を受信するステップをさらに備える、請求項１に記載の方法。
【請求項１０】
前記金融商品は、証券、オプション、株、債券およびミューチュアルファンドからなるグループのうち１つのメンバを備える；請求項１に記載の方法。
【請求項１１】
前記販売指示を実行するステップをさらに備える、請求項１に記載の方法。
【請求項１２】
前記取り出すステップは、前記結果の動向に関連する第３のデータを取り出すステップをさらに備え、前記同時に送信するステップは、前記第３のデータをさらに備える、請求項１に記載の方法。
【請求項１３】
前記第１のデータは、所定の時間フレームでの前記結果の値の範囲に関連するデータをさらに備える、請求項１に記載の方法。
【請求項１４】
前記結果は、オブジェクトまたは金融商品の第１の値および第２の値の間の差である；請求項１に記載の方法。
【請求項１５】
前記第１のデータ、前記第２のデータが前記ディスプレイ上の別個の領域に表示されるように、前記ステップは、前記遠隔のコンピュータ化された機器の前記ディスプレイを構成するステップをさらに備える；請求項１に記載の方法。
【請求項１６】
前記第３のデータが前記ディスプレイ上の別個の領域に表示されるように、前記ステップは、前記遠隔のコンピュータ化された機器の前記ディスプレイを構成するステップをさらに備える；請求項１に記載の方法。
【請求項１７】
コンピュータ実装取引プラットフォームにおいて同時に存在する戦略プロバイダの情報、優先および決定をユーザに提供するデータを画面上に同時に表示するための、コンピュータ化された装置であって：
ｉ．可能な操作のリストから、実行可能な操作を選択するリクエストを受信するように構成された受信機モジュール（１１０）；
ｉｉ．前記操作を実行した結果の値の変化に関連する第１のデータを取り出すように、および戦略プロバイダの優先、実績および活動に関連する第２のデータを取り出すように構成されたプロセッサ（１２０）；
ｉｉｉ．前記第１のデータおよび前記第２のデータを同時に送信するように；前記第１のデータおよび前記第２のデータを遠隔のコンピュータ化された機器上のディスプレイ上で前記ユーザに同時に利用可能にするように構成された送信機モジュール（１３０）を備え、前記プロセッサは、前記操作を実行した前記結果の動向に関連する第３のデータの情報を取り出すようにさらに構成され、前記送信機モジュールは、前記第３のデータを同時に送信するようにさらに構成されるコンピュータ化された装置。
【請求項１８】
前記受信機モジュールは、金融商品を購入するための命令を受信するように構成される、請求項１に記載のコンピュータ化された装置。
【請求項１９】
内科または外科的処置を実施するための命令である、請求項に記載のコンピュータ化された装置。
【請求項２０】
前記受信機モジュールは、投薬計画を実施するための命令を受信するように構成される、請求項に記載のコンピュータ化された装置。
【請求項２１】
前記受信機モジュールは、物流手順を実施するための命令を受信するように構成される、請求項に記載のコンピュータ化された装置。
【請求項２２】
前記受信機モジュールは、処理操作を実施するための命令を受信するように構成される、請求項に記載のコンピュータ化された装置。
【請求項２３】
前記受信機モジュールは、前記命令を実行するステップを受信するように構成される、請求項に記載のコンピュータ化された装置。
【請求項２４】
前記実行するステップのやり方が、操作する、伝達する、交換する、置換する、誘導する、配置する、位置を突き止める、供給する、判定する、見つけ出す、選択する、取得する、取り除く、売却する、追加する、減じる、契約する、連絡する、購入する、販売する、表示する、計算する、ダウンロードする、アップロードする、プッシュする、プルする、および送信するからなるグループから選択される、請求項に記載のコンピュータ化された装置。
【請求項２５】
金融商品を販売するための販売指示を受信するようにさらに構成される、請求項に記載のコンピュータ化された装置。
【請求項２６】
前記金融商品は、証券、オプション、株、債券およびミューチュアルファンドからなるグループのうち１つのメンバを備える、請求項に記載のコンピュータ化された装置。
【請求項２７】
前記販売指示を実行するように構成される、請求項に記載のコンピュータ化された装置。
【請求項２８】
前記プロセッサは、前記結果の動向に関連する第３のデータを取り出すように構成され、前記同時に送信するステップは、前記第３のデータをさらに備える、請求項に記載のコンピュータ化された装置。
【請求項２９】
前記プロセッサは、前記第１のデータを処理するように構成され、前記第１のデータは、所定の時間フレームでの前記結果の値の範囲に関連する、請求項に記載のコンピュータ化された装置。
【請求項３０】
前記送信機モジュールは、前記結果を送信するように構成され、前記結果は、オブジェクトの第１の値および第２の値の差である、請求項に記載のコンピュータ化された装置。
【発明の詳細な説明】
【技術分野】
【０００１】
本発明は、一般にデータをディスプレイ上に同時に表示するための手段および方法に関し、詳細には、他人が下した決定をモニタしながら、ユーザが決定を実行するのを手助けすることに関する。
【背景技術】
【０００２】
複雑なシステムおよび環境の当事者が、自分のコンピュータ画面上で容易に見ることができて、最適な決定を下すのに役立つ情報の入力を必要とする場合が多い。
【０００３】
ＰＣＴ出願である、ＭＩＴＴＡＬ、Ｈｉｔｅｓｈらに発行された国際公開第２０１１００６１５３（Ａ１）号パンフレットが、トレーダから提出された電子取引指示を、電子取引ルーティングネットワークを介して、選択した宛先にリダイレクトするシステムについて開示している。取引指示ルーティング設備は、電子取引ルーティングネットワーク、ならびに１つまたは複数の第三者のブローカ・ディーラ・システムおよび１つまたは複数の代替取引システムを含む複数の取引場所と連結される。取引指示ルーティング設備は、電子的指示を受信して、トレーダからの取引可能な資産を取り引きし、指示の宛先である取引場所を特定し、電子取引ルーティングネットワークを介して指示を宛先取引場所に第１の取引指示として電子的にルーティングする。取引指示ルーティング設備はまた、宛先取引場所で電子取引指示をモニタして、指示に対して宛先指示場所で実行された株の数を判定する。
【０００４】
Ｒｏｓｅｎｂｅｒｇ、Ｒｉｃｈａｒｄらに発行された米国特許出願公開第２０１１００１６０３６（Ａ１）号明細書が、金融商品の取引を手助けするシステムおよび方法について開示している。マスタノードおよび複数の中間ノードが、取引相手の信用マトリックスを記憶する。これらのマトリックスに記憶された情報に基づき取引を実行する。このシステムおよび方法により、取引を受け入れるか拒絶するかだけでなく、この取引の取引相手に割り当てられた信用状態を示すことができる取引オプションを選択できるようになる。
【０００５】
Ｒｏｓｅｎｔａｌ、Ｌｅｓｌｉｅらに発行された米国特許出願公開第２０１１００１６０３５（Ａ１）号明細書が、電子取引のためのブラックボックス取引戦略の自動実行を提供するための方法およびシステムについて開示している。実際のまたは合成の契約または金融商品を含む２つ以上の実際のまたは合成の取引エンティティから、ブラックボックス取引エンティティが作り出される。ブラックボックス取引エンティティは、１つまたは複数の電子取引交換所を介して、クライアント機器上で、および／またはサーバ機器上で、および／またはこれらの組合せで、自動的に取り引きされ、それにより、ブラックボックス取引エンティティに対する電子取引の実行が、１つのネットワーク機器だけで実行したときより高速かつ信頼できるようになる。
【先行技術文献】
【特許文献】
【０００６】
【特許文献１】国際公開第２０１１００６１５３（Ａ１）号パンフレット
【特許文献２】米国特許出願公開第２０１１００１６０３６（Ａ１）号明細書
【特許文献３】米国特許出願公開第２０１１００１６０３５（Ａ１）号明細書
【発明の概要】
【発明が解決しようとする課題】
【０００７】
ユーザがリアルタイムに行動することができる高品質なオンライン情報を、当事者が任意の意思決定過程で受信することができるように、さまざまな情報源からのデータを画面上に同時に表示するための方法および手段を提供することが、長年満たされていない必要性である。
【課題を解決するための手段】
【０００８】
本発明の目的が、画面上にデータを同時に表示する方法を開示し；方法は：
ｉ．可能な操作のリストから、実行可能な操作を選択するのを手助けするリクエストを受信するステップ；
ｉｉ．前記操作を実行した結果の値の変化に関連する第１のオンラインデータを取り出すステップ；
ｉｉｉ．データリポジトリから、１つまたは複数の戦略プロバイダの優先、活動および実績に関連する第２のデータを取り出すステップ；および
ｉｖ．遠隔のコンピュータ化された機器のディスプレイ上で第１のデータおよび第２のデータを同時に利用可能にするために、遠隔のコンピュータ化された機器に第１のデータおよび第２のデータを同時に送信するステップ
を備える。
【０００９】
本発明の他の目的が、金融商品を購入するための命令を受信するステップをさらに備える、前述の方法を開示する。
【００１０】
本発明の他の目的が、内科または外科的処置を実施するための命令を受信するステップをさらに備える、前述の方法を開示する。
【００１１】
本発明の他の目的が、投薬計画を実施または分配するための命令を受信するステップをさらに備える、前述の方法を開示する。
【００１２】
本発明の他の目的が、物流手順を実施するための命令を受信するステップをさらに備える、前述の方法を開示する。
【００１３】
本発明の他の目的が、処理操作を実施するための命令を受信するステップをさらに備える、前述の方法を開示する。
【００１４】
本発明の他の目的が、前記命令を実行するステップをさらに備える、前述の方法を開示する。
【００１５】
さらに、前記実行するステップのやり方が、操作する、伝達する、交換する、シミュレートする、決定する、置換する、誘導する、配置する、位置を突き止める、供給する、判定する、見つけ出す、選択する、取得する、取り除く、売却する、追加する、減じる、分割する、契約する、連絡する、購入する、販売する、表示する、計算する、ダウンロードする、アップロードする、プッシュする、プルする、および送信するからなるグループから選択される前述の方法を、本発明の他の目的が開示する。
【００１６】
本発明の他の目的が、金融商品を販売するための販売指示を受信するステップをさらに備える、前述の方法を開示する。
【００１７】
本発明の他の目的が、さらに、前記金融商品が、証券、オプション、株、債券およびミューチュアルファンドからなるグループのうち１つのメンバを備える、前述の方法を開示する。
【００１８】
本発明の他の目的が、販売指示を実行するステップをさらに備える、前述の方法を開示する。
【００１９】
本発明の他の目的が、さらに、取り出すステップが前記結果の動向に関連する第３のデータを取り出すステップをさらに備え、同時に送信するステップが第３のデータをさらに備える、前述の方法を開示する。
【００２０】
本発明の他の目的が、さらに、第１のデータが、所定の時間フレームでの前記結果の値の範囲に関連するデータをさらに備える、前述の方法を開示する。
【００２１】
本発明の他の目的が、さらに、前記結果が、オブジェクトまたは金融商品の第１の値および第２の値の間の差である、前述の方法を開示する。
【００２２】
本発明の他の目的が、遠隔のコンピュータ化された機器上に、前記第１のデータおよび前記第２のデータを前記ディスプレイ上の別個の領域に表示するステップを備える、前述の方法を開示する。
【００２３】
本発明の他の目的が、遠隔のコンピュータ化された機器上に、前記第３のデータを前記ディスプレイ上の少なくとも１つの領域に表示するステップを備える、前述の方法を開示する。
【００２４】
本発明の他の目的が、コンピュータ実装操作プラットフォームにおいて同時に存在する戦略プロバイダの情報、優先および決定に関連するデータを画面上に同時に表示するための、コンピュータ化された装置を提供し；コンピュータ化された装置は：
ｖ．可能な操作のリストから、実行可能な操作を選択するリクエストを受信するように構成された受信機モジュール（１１０）；
ｖｉ．前記操作を実行した結果の値の変化に関連する第１のデータを取り出すように、および戦略プロバイダの優先、実績および活動に関連する第２のデータを取り出すように構成されたプロセッサ（１２０）；
ｖｉｉ．第１のデータおよび第２のデータを同時に送信するように；第１のデータおよび第２のデータを遠隔のコンピュータ化された機器上のディスプレイ上でユーザに同時に利用可能にするように構成された送信機モジュール（１３０）を備え、プロセッサは、前記操作を実行した結果の動向に関連する第３のデータの情報を取り出すようにさらに構成され、送信機モジュールは、第３のデータを同時に送信するようにさらに構成される。
【００２５】
本発明の他の目的が、前記受信機モジュールが、金融商品を購入するための命令を受信するように構成された、前述のコンピュータ化された装置を提供する。
【００２６】
本発明の他の目的が、内科または外科的処置を実施するための命令を実施するように構成された、前述のコンピュータ化された装置を提供する。
【００２７】
本発明の他の目的が、前記受信機モジュールが、投薬計画を実施するための命令を受信するように構成された、前述のコンピュータ化された装置を提供する。
【００２８】
本発明の他の目的が、前記受信機モジュールが、物流手順を実施するための命令を受信するように構成された、コンピュータ化された装置を提供する。
【００２９】
本発明の他の目的が、前記受信機モジュールが、処理操作を実施するための命令を受信するように構成された、コンピュータ化された装置を提供する。
【００３０】
本発明の他の目的が、前記受信機モジュールが、前記命令を実行するステップを受信するように構成された、コンピュータ化された装置を提供する。
【００３１】
前記実行するステップのやり方が、操作する、伝達する、交換する、置換する、誘導する、配置する、位置を突き止める、供給する、比較する、決定する、診断する、指令する、判定する、見つけ出す、選択する、取得する、取り除く、売却する、追加する、減じる、契約する、連絡する、購入する、販売する、表示する、計算する、貸す、借りる、雇う、ダウンロードする、アップロードする、プッシュする、プルする、および送信するからなるグループから選択される、コンピュータ化された装置を、本発明の他の目的が提供する。
【００３２】
本発明の他の目的が、金融商品を販売するための販売指示を受信するようにさらに構成された、コンピュータ化された装置を提供する。
【００３３】
本発明の他の目的が、前記金融商品が、証券、オプション、株、債券およびミューチュアルファンドからなるグループのうち１つのメンバを備える、コンピュータ化された装置を提供する。
【００３４】
本発明の他の目的が、販売指示を実行するようにさらに構成された、コンピュータ化された装置を提供する。
【００３５】
本発明の他の目的が、前記プロセッサが、前記結果の動向に関連する第３のデータを取り出すように構成され、同時に送信するステップが第３のデータをさらに備える、コンピュータ化された装置を提供する。
【００３６】
本発明の他の目的が、所定の時間フレームでの前記結果の値の範囲に関連する前記第１のデータをプロセッサが処理するように構成された、コンピュータ化された装置を提供する。
【００３７】
本発明の他の目的が、オブジェクトの第１の値および第２の値の差である前記結果を前記送信機モジュールが送信するように構成された、コンピュータ化された装置を提供する。
【００３８】
開示する主題の例示的一実施形態が、コンピュータ実装取引プラットフォームにおいて同時に存在する戦略プロバイダの情報、優先および決定をトレーダに提供する方法を備え；方法は：金融商品の取引を手助けするリクエストをトレーダから受信するステップ；金融商品の値の変化に関連する第１のデータを取り出すステップ；１つまたは複数の戦略プロバイダの優先、金融活動および金融実績に関連する第２のデータを取り出すステップ；および第１のデータおよび第２のデータを前記トレーダに同時に利用可能にするように第１のデータおよび第２のデータを同時に送信するステップを備える。いくつかの実施形態によれば、本方法は、金融商品を購入するための購入指示を受信するステップをさらに備える。いくつかの他の実施形態によれば、本方法は、購入指示を実行するステップをさらに備える。いくつかの他の実施形態によれば、本方法は、金融商品を販売するための販売指示を受信するステップをさらに備える。いくつかの他の実施形態によれば、本方法は、販売指示を実行するステップをさらに備える。いくつかの他の実施形態によれば、取り出すステップは、金融商品の市場動向に関連する第３のデータを取り出すステップをさらに備え、同時に送信するステップは、第３のデータをさらに備える。いくつかの他の実施形態によれば、第１のデータは、所定の時間フレームでの、金融商品の値の範囲に関連するデータをさらに備える。いくつかの他の実施形態によれば、金融商品は、第１の通貨および第２の通貨の間の交換率である。いくつかの他の実施形態によれば、金融商品は、証券、オプション、株、債券およびミューチュアルファンドからなるグループのうち１つのメンバを備える。
【００３９】
開示する主題の他の例示的一実施形態が、コンピュータ実装取引プラットフォームで同時に存在する戦略プロバイダの情報、優先および決定をトレーダに提供するためのコンピュータ化された装置であり；コンピュータ化された装置は：金融商品の取引を手助けするリクエストを受信するように構成された受信機モジュール（１１０）；金融商品の値の変化に関連する第１のデータを取り出すように、および戦略プロバイダの優先、金融実績および金融活動に関連する第２のデータを取り出すように構成されたプロセッサ（１２０）；第１のデータおよび第２のデータを同時に送信するように；第１のデータおよび第２のデータをユーザに同時に利用可能にするように構成された送信機モジュール（１３０）を備える。いくつかの他の実施形態、すなわち、請求項９に記載のコンピュータ化された装置によれば；プロセッサは、金融商品の市場動向に関連する第３のデータの情報を取り出すようにさらに構成され、送信機モジュールは、第３のデータを同時に送信するようにさらに構成される。いくつかの他の実施形態によれば、第１のデータは、所定の時間フレームでの、金融商品の値の範囲に関連する。いくつかの他の実施形態によれば、金融商品は、第１の通貨および第２の通貨の間の交換率である。いくつかの他の実施形態によれば、金融商品は、証券、オプション、株、債券およびミューチュアルファンドからなるグループのうち１つのメンバを備える。いくつかの他の実施形態によれば、コンピュータ化された装置は、第１のデータおよび第２のデータを記憶するための記憶装置（１４０）をさらに備える。
【００４０】
開示する主題の他の例示的実施形態が、コンピュータ実装取引プラットフォームにおいて同時に存在する戦略プロバイダの情報、優先および決定をトレーダに提供する方法であり、方法は：金融商品の取引を手助けするリクエストを実行するステップ；金融商品の値の変化に関連する第１のデータを受信するステップ；１つまたは複数の戦略プロバイダの優先、金融実績および金融活動に関連する第２のデータを受信するステップ；および第１のデータおよび第２のデータへのアクセス可能性を同時に提供するステップを備える。いくつかの実施形態によれば、本方法は、金融商品を購入するための購入指示を実行するステップをさらに備える。いくつかの実施形態によれば、本方法は、金融商品を販売するための販売指示を実行するステップをさらに備える。いくつかの実施形態によれば、本方法は、金融商品の市場動向に関連する第３のデータを受信するステップをさらに備える。いくつかの実施形態によれば、本方法は、コンピュータ化されたディスプレイ上に第１のデータ、第２のデータおよび第３のデータを同時に表示して、それにより、包括的な情報をユーザに提供するステップをさらに備える。いくつかの実施形態によれば、第１のデータは、所定の時間フレームでの、金融商品の値の範囲を備える。いくつかの実施形態によれば、金融商品は、第１の通貨および第２の通貨の間の交換率である。いくつかの実施形態によれば、金融商品は、証券、オプション、株、債券およびミューチュアルファンドからなるグループのうち１つのメンバを備える。いくつかの実施形態によれば、第１のデータおよび第２のデータへのアクセス可能性を同時に提供するステップは、コンピュータ化されたディスプレイ上に第１のデータを、次いで、第２のデータを同時に表示するステップを備える。いくつかの実施形態によれば、第１のデータおよび第２のデータへのアクセス可能性を同時に提供するステップは、第１のデータに関連するオーディオ、および第２のデータのオーディオを同時に再生するステップを備える。
【００４１】
開示する主題の他の例示的実施形態が、コンピュータ実装取引プラットフォームにおいて同時に存在する戦略プロバイダの情報、優先および決定をトレーダに提供するためのコンピュータ化された装置であり：前記金融商品の取引を手助けするリクエストを実行するためのプロセッサ（３１０）；金融商品の値の変化に関連する第１のデータを受信するための、および１つまたは複数の戦略プロバイダの優先に関連する第２のデータを受信するための受信機モジュール（３２０）；およびコンピュータ化されたディスプレイ上に第１のデータおよび第２のデータを同時に表示するための表示装置（３３０）である。いくつかの実施形態によれば、プロセッサは、金融商品を購入するための購入指示を実行するようにさらに構成される。いくつかの実施形態によれば、プロセッサは、金融商品を販売するための販売指示を実行するようにさらに構成される。いくつかの実施形態によれば、受信機モジュールは、金融商品の市場動向に関連する第３のデータを受信するようにさらに構成される。いくつかの実施形態によれば、表示装置は、コンピュータ化されたディスプレイ上に第１のデータ、第２のデータおよび第３のデータを同時に表示して、それにより、包括的な情報をユーザに提供するようにさらに構成される。いくつかの実施形態によれば、データは、所定の時間フレームでの、金融商品の値の範囲をさらに備え、コンピュータ化されたディスプレイ上にこの信号が表示される。いくつかの実施形態によれば、金融商品は、第１の通貨および第２の通貨の間の交換率である。いくつかの実施形態によれば、金融商品は、証券、オプション、株、債券およびミューチュアルファンドからなるグループのうち１つのメンバを備える。いくつかの実施形態によれば、表示装置は、購入指示を実行するための第１のボタンをさらに備える。いくつかの実施形態によれば、表示装置は、販売指示を実行するための第２のボタンをさらに備える。いくつかの実施形態によれば、コンピュータ装置は、コンピュータ化されたディスプレイ上に第１のデータおよび第２のデータを同時に表示するためのオーディオユニット（３５０）をさらに備える。いくつかの実施形態によれば、請求項２５に記載のコンピュータ装置は、前記金融商品の取引を手助けするリクエストを送信するための送信機（３４０）をさらに備える。
【００４２】
開示する主題の他の例示的実施形態が、熟練したトレーダの金融活動をトレーダが模倣するのを手助けする方法であり；方法は：金融商品の取引を手助けするリクエストをトレーダから取り出すステップ；１つまたは複数の戦略プロバイダの１つまたは複数の取引に関連するデータを受信するステップ；前記トレーダにデータをリアルタイムで送信するステップを備え；データは、トレーダにリアルタイムで利用可能であって、それにより、１つまたは複数の戦略プロバイダの１つまたは複数の取引をトレーダが反映するのを手助けする。
【００４３】
開示する主題の他の例示的実施形態が、熟練したトレーダの金融活動をトレーダが模倣するのを手助けするためのコンピュータ化された装置であり；コンピュータ化された装置は：金融商品の取引を手助けするリクエストを受信するように構成された受信機モジュール（１１０）；１つまたは複数の戦略プロバイダの１つまたは複数の取引に関連する第１のデータを取り出すように、および第１のデータをトレーダに誘導するように構成されたプロセッサ（１２０）；および前記トレーダにデータをリアルタイムで送信するように構成された送信機モジュール（１３０）を備え；データは、トレーダにリアルタイムで利用可能であって、それにより、１つまたは複数の戦略プロバイダの１つまたは複数の取引をトレーダが反映するのを手助けする。
【００４４】
開示する主題の他の例示的実施形態が、熟練したトレーダの金融活動をトレーダが模倣するのを手助けする方法であり；方法は：金融商品の取引を手助けするリクエストを実行するステップ；１つまたは複数の戦略プロバイダの１つまたは複数の取引に関連するデータを受信するステップ；およびトレーダにデータをリアルタイムで表示して、それにより、１つまたは複数の戦略プロバイダの１つまたは複数の取引をトレーダが反映するのを手助けするステップを備える。
【００４５】
開示する主題の他の例示的実施形態が、熟練者の金融活動をトレーダが模倣するのを手助けするためのコンピュータ化された装置：金融商品の取引を手助けするリクエストを実行するように構成されたプロセッサ（３１０）；１つまたは複数の戦略プロバイダの１つまたは複数の取引に関連するデータを受信するように構成された受信機モジュール（３２０）；および前記トレーダにデータをリアルタイムで表示して、それにより、１つまたは複数の戦略プロバイダの１つまたは複数の取引をトレーダが反映するのを手助けするように構成された表示装置（３３０）である。
【００４６】
開示する主題の他の例示的実施形態が、金融商品の取引のための、磁気可読媒体上に配置されたコンピュータプログラムであり；コンピュータプログラムは：金融商品の取引を手助けするリクエストを実行するための第１のプログラム命令；金融商品の値の変化に関連する第１のデータを受信するための第２のプログラム命令；１つまたは複数の戦略プロバイダの優先、金融実績および金融活動に関連する第２のデータを受信するための第３のプログラム命令；およびコンピュータ化されたディスプレイ上に第１のデータおよび第２のデータを同時に表示するための第４のプログラム命令を備える。
【００４７】
本発明、および実施する際の本発明の実装をよりよく理解するために、次に、添付図面を参照して、限定しない例だけにより複数の実施形態について説明する。
【図面の簡単な説明】
【００４８】
【図１】金融商品の取引を手助けするための、内科もしくは外科的処置、または治療計画、または投薬計画、または本発明の例示的実施形態による産業用途の他の活動をシミュレートまたは実施するのを手助けするための、集中型機械の概略構成図を示す。
【図２】金融商品の取引を手助けするための、内科もしくは外科的処置、または治療計画、または投薬計画、または本発明の例示的実施形態による産業用途の他の活動をシミュレートまたは実施するのを手助けするための、集中型方法の流れ図を示す。
【図３】金融商品の取引を手助けするための、内科もしくは外科的処置、または治療計画、または投薬計画、または本発明の例示的実施形態による産業用途の他の活動をシミュレートまたは実施するのを手助けするための、コンピュータ化された装置の概略構成図を示す。
【図４】金融商品の取引を手助けするための、内科もしくは外科的処置、または治療計画、または投薬計画、または本発明の例示的実施形態による産業用途の他の活動をシミュレートまたは実施するのを手助けするための、コンピュータ化された方法の流れ図を示す。
【図５】金融商品の取引を手助けするための、内科もしくは外科的処置、または治療計画、または投薬計画、または本発明の例示的実施形態による産業用途の他の活動をシミュレートまたは実施するのを手助けするための、取引プラットフォームの概略構成図を示す。
【図６】トレーダ；非専門家医師、または内科もしくは外科の開業医、または産業上適用可能な活動に従事する他の人に同時に表示されるデータの例示的概略図を示す。
【図７】ドルからユーロへの交換率について市場動向のヒストグラムを示す一例の画面を図式的に示す。
【図８】複数の対の通貨について市場動向の円グラフを示す例示的画面を示す。
【発明を実施するための形態】
【００４９】
以下の説明は、本発明のすべての部分と一緒に、任意の人が前記発明を利用することが可能になるように提供され、本発明を実施する本発明者が企図する最良の実施形態について説明する。慣習であるが、これにより、本発明の範囲を制限しないことが意図されることが理解されよう。他人により行われた決定をモニタし、さらに動向をリアルタイムでモニタしながら、ユーザが決定を実行することが可能になるデータを管理し、画面上に同時に表示する手段および方法を、本発明の一般的原理が具体的に提供するので、当業者には他の修正形態が依然として明らかであろう。
【００５０】
本明細書で説明する、このようなシステムおよび方法には、限定せずに、内科または外科の分野、診断の分野、処理技術、戦略開発、投資、取引、機密情報収集、農業商品割当および開発、資源割当、日用品計画、人的資源計画、ならびに多くの他のエリアの産業上の試みで、コンピュータ化された決定を行うことを含む多くの用途があることが、当業者には明らかであろう。
【００５１】
次に、画面上にデータを同時に表示する方法を参照し；方法は：
ｖｉｉｉ．可能な操作のリストから、実行可能な操作を選択するのを手助けするリクエストを受信するステップ；
ｉｘ．前記操作を実行した結果の値の変化に関連する第１のオンラインデータを取り出すステップ；
ｘ．データリポジトリから、１つまたは複数の戦略プロバイダの優先、活動および実績に関連する第２のデータを取り出すステップ；および
ｘｉ．遠隔のコンピュータ化された機器のディスプレイ上で第１のデータおよび第２のデータを同時に利用可能にするために、遠隔のコンピュータ化された機器に第１のデータおよび第２のデータを同時に送信するステップ
を備える。
【００５２】
次に、金融商品を購入するための命令を受信するステップをさらに備える、前述の方法を参照する。
【００５３】
次に、内科または外科的処置を実施するための命令を受信するステップをさらに備える、前述の方法を参照する。
【００５４】
次に、投薬計画を実施するための命令を受信するステップをさらに備える、前述の方法を参照する。
【００５５】
次に、物流手順を実施するための命令を受信するステップをさらに備える、前述の方法を参照する。
【００５６】
次に、処理操作を実施するための命令を受信するステップをさらに備える、前述の方法を参照する。
【００５７】
次に、前記命令を実行するステップをさらに備える、前述の方法を参照する。
【００５８】
次に、前記命令を実行するステップをさらに備える、前述の方法を参照し、前記実行するステップのやり方が、手助けする、操作する、伝達する、交換する、置換する、誘導する、配置する、位置を突き止める、供給する、判定する、見つけ出す、選択する、取得する、取り除く、売却する、追加する、減じる、契約する、連絡する、購入する、販売する、カテゴリ化する、シミュレートする、分類する、表示する、計算する、ダウンロードする、アップロードする、プッシュする、プルする、および送信するからなるグループから選択される。
【００５９】
次に、金融商品を販売するための販売指示を受信するステップをさらに備える、前述の方法を参照する。
【００６０】
次に、さらに、前記金融商品が、証券、オプション、株、債券およびミューチュアルファンドからなるグループのうち１つのメンバを備える、前述の方法を参照する。
【００６１】
次に、販売指示を実行するステップをさらに備える、前述の方法を参照する。
【００６２】
次に、任意のデータを取り出すステップをさらに備える前述の方法を参照し、取り出すステップは、前記結果の動向に関連する第３のデータを取り出すステップをさらに備え、同時に送信するステップは、第３のデータをさらに備える。
【００６３】
次に、第１のデータが、所定の時間フレームでの前記結果の値の範囲に関連するデータをさらに備える、前述の方法を参照する。
【００６４】
次に、さらに、前記結果が、オブジェクトまたは金融商品の第１の値および第２の値の間の差である、前述の方法を参照する。
【００６５】
次に、遠隔のコンピュータ化された機器のディスプレイを構成するステップをさらに備える、前述の方法を参照し、前記ステップは、前記第１のデータ、前記第２のデータが前記ディスプレイ上の別個の領域に表示されるように、前記ディスプレイを構成するステップをさらに備える。
【００６６】
次に、前記第３のデータが前記ディスプレイ上の別個の領域に表示されるように、遠隔のコンピュータ化された機器の前記のディスプレイを構成するステップをさらに備えるステップをさらに備える、前述の方法を参照する。
【００６７】
次に、コンピュータ実装プラットフォームにおいて同時に存在する戦略プロバイダの情報、優先および決定をユーザに提供するデータを画面上に同時に表示するための、コンピュータ化された装置を参照し；コンピュータ化された装置は：
可能な操作のリストから、実行可能な操作を選択するリクエストを受信するように構成された受信機モジュール（１１０）；
前記操作を実行した結果の値の変化に関連する第１のデータを取り出すように、および戦略プロバイダの優先、実績および活動に関連する第２のデータを取り出すように構成されたプロセッサモジュール（１２０）；
第１のデータおよび第２のデータを同時に送信するように；遠隔のコンピュータ機器上のディスプレイ上で、第１のデータおよび第２のデータをユーザに同時に利用可能にするように構成された送信機モジュール（１３０）を備え、
プロセッサは、前記操作を実行した結果の動向に関連する第３のデータの情報を取り出すようにさらに構成され、送信機モジュールは、第３のデータを同時に送信するようにさらに構成される。
【００６８】
次に、前記受信機モジュールが、金融商品を購入するための命令を受信するように構成される、前述のコンピュータ化された装置を参照する。
【００６９】
次に、内科または外科的処置を実施するための命令を受信するように構成される、前述のコンピュータ化された装置を参照する。
【００７０】
次に、前記受信機モジュールが、投薬計画を実施するための命令を受信するように構成される、前述のコンピュータ化された装置を参照する。
【００７１】
次に、前記受信機モジュールが、物流手順を実施するための命令を受信するように構成される、前述のコンピュータ化された装置を参照する。
【００７２】
次に、前記受信機モジュールが、処理操作を実施するための命令を受信するように構成される、前述のコンピュータ化された装置を参照する。
【００７３】
次に、前記受信機モジュールが、前記命令を実行するステップを受信するように構成される、前述のコンピュータ化された装置を参照する。
【００７４】
次に、前述のコンピュータ化された装置を参照し、前記実行するステップのやり方が、操作する、伝達する、交換する、置換する、指示する、誘導する、配置する、位置を突き止める、供給する、判定する、見つけ出す、選択する、取得する、取り除く、売却する、追加する、減じる、契約する、連絡する、購入する、販売する、表示する、計算する、ダウンロードする、アップロードする、プッシュする、プルする、および送信するからなるグループから選択される。
【００７５】
次に、金融商品を販売するための販売指示を受信するように構成された、前述のコンピュータ化された装置を参照する。
【００７６】
次に、前記金融商品が、証券、オプション、株、債券およびミューチュアルファンドからなるグループのうち１つのメンバを備える、前述のコンピュータ化された装置を参照する。
【００７７】
次に、販売指示を実行するように構成された、前述のコンピュータ化された装置を参照する。
【００７８】
次に、前記プロセッサが、前記結果の動向に関連する第３のデータを取り出すように構成され、同時に送信するステップが、第３のデータをさらに備える、前述のコンピュータ化された装置を参照する。
【００７９】
次に、プロセッサが、前記第１のデータを処理するように構成され、前記第１のデータが、所定の時間フレームでの前記結果の値の範囲に関連する、前述のコンピュータ化された装置を参照する。
【００８０】
次に、前記送信機モジュールが、前記結果を送信するように構成され、前記結果が、オブジェクトの第１の値および第２の値の差である、前述のコンピュータ化された装置を参照する。
【００８１】
「実施するための命令」または「実施する」という用語または語句は、以下、実施するための１つもしくは複数の命令、または実施するを指し、それにより、受信機モジュール、プロセッサモジュール、送信機モジュール、画面、ディスプレイ、またはディスプレイもしくは画面内部の領域を含む、本発明の要素のいずれかにより受信、処理および実行されたとき、ユーザが手助けする、巧に扱う、模倣する、反映する、指令する、指示する、診断する、操作する、伝達する、交換する、置換する、誘導する、配置する、位置を突き止める、供給する、判定する、見つけ出す、選択する、取得する、取り除く、売却する、追加する、減じる、契約する、連絡する、購入する、販売する、カテゴリ化する、シミュレートする、分類する、表示する、計算する、ダウンロードする、アップロードする、プッシュする、プルするおよび送信することが可能になる。
【００８２】
以下は、本発明の一実施形態および使用する用語の、限定しない例である：
【００８３】
「金融商品」という用語は、以下、金融エンティティの所有権の証拠；または現金もしくは他の金融商品を受け取るもしくは与える契約上の権利を指す。金融商品は、外国為替市場（ＦＯＲＥＸ）に、たとえば第１の通貨および第２の通貨の間の交換率に関連してもよい。
【００８４】
「戦略」という用語は、熟練者への接近を指す。たとえば、ドル対ユーロなどの１対の通貨に関する戦略が、他の通貨（たとえば円）が上昇した場合には買い、または金の値が上昇し、関連が生じる場合には売りであってもよい。
【００８５】
「戦略プロバイダ」という用語は、以下、取引プラットフォームを通じて行う戦略プロバイダの金融活動を他のトレーダが反映することを可能にすることにより、および戦略プロバイダの戦略および金融活動を模倣することにより、戦略プロバイダの戦略および取引決定が、他のトレーダが決定を下すのを支援することができる、市場の熟練者であるトレーダまたは評論家を指す。
【００８６】
「戦略プロバイダの優先」という用語は、以下、戦略プロバイダにより選ばれた戦略を指す。
【００８７】
「戦略プロバイダの金融活動」という用語は、以下、取引プラットフォームを介して行われる金融活動を指す。このような活動は購入および販売の指示を含み、購入または販売の指示に関する統計情報だけでなくオンライン情報も含む。
【００８８】
本開示で交換可能に使用する「市場動向」および「景況感」という用語は、以下、時間をかけて特定方向に動く、金融市場の傾向を指す。時間フレーム内の購入指示の数および販売指示の数を示すことにより、市場動向を表すことができる。
【００８９】
「専門職ではないトレーダ」という用語は、以下、典型的には市場を熟知しておらず、かつ決定を下す前に支援を得たい、取引プラットフォームのユーザまたはサービス利用者である投資家を指す。
【００９０】
「対の通貨」という用語は、以下、特定の時間フレームでの、一方の通貨から他方の通貨への交換率間の差が計算される１対の２つの通貨を指す。
【００９１】
「反映させること」という用語は、本明細書では、取引プラットフォームを通じて、戦略プロバイダの金融活動および優先、実績などをオンラインで閲覧することを指す。いくつかの例示的実施形態では、反映させることは、トレーダが取引プラットフォームを介して、１つまたは複数の戦略プロバイダの取引および信号を見ることができ、かつ取引に参加することができるライブで反映することである。「反映すること」という用語はまた、本明細書では、該当する場合には、内科または外科または産業に関しては、非専門家ユーザにより、プラットフォームを通じて、専門家または専門家戦略プロバイダの活動および優先、実績などをオンラインで閲覧することを指す。いくつかの例示的実施形態では、反映することは、非専門家ユーザがプラットフォームを介して１つまたは複数の戦略プロバイダの活動、推奨および信号を見ることができ、かつ活動に参加する、または活動を模倣することができるライブで反映することである。
【００９２】
本開示が取り扱う１つの技術的問題が、取引プラットフォームを通じて金融商品の、熟練していないトレーダを手助けすることである。オンラインの投資または自己決定的な投資が、個々の投資家およびトレーダの基準になり、今や、多くの仲介業者が独自の取引プラットフォームでオンラインサービスを提供している。典型的には専門職ではないトレーダであり、かつ市場を熟知していない取引プラットフォームユーザを支援する必要性が満たされていない。
【００９３】
１つの技術的解決策が、取引情報を同時に表示して、専門職ではないトレーダを支援することであり；このような情報には、市場に関する、および市場の動向に関する、履歴および最新情報が含まれる。さらに、情報には、１つまたは複数の戦略プロバイダの優先および金融実績、ならびに戦略プロバイダにより実行される取引に関する情報が含まれる。情報は、専門職ではないトレーダに包括的な情報を提供するために、および専門職ではないトレーダが決定を下すのを支援するために、同時に表示される。いくつかの実施形態によれば、トレーダは、取引プラットフォームを通じて、すべての戦略プロバイダ、これらのプロバイダの経歴および実績を検討することができ、この情報に基づき、反映したいプロバイダを選ぶことができる。いくつかの他の実施形態によれば、トレーダは、自分が選んだ戦略プロバイダにより行われる取引に関するデータをオンラインで得ることができ、１つまたは複数の取引に参加することを選ぶことができる。
【００９４】
健康管理に関連する１つの技術的解決策が、特定の医療シナリオに直面したときに、医療、健康および疾病の情報を同時に表示して、特定の場所で非専門家の健康管理ユーザを現場で支援することである。このような情報には、たとえば流行または大災害の間の大規模な状況に関する、および進展中の全体状況の動向に関する、履歴および最新情報が含まれる。さらに、情報には、１つまたは複数の健康管理専門家の内科および外科の戦略プロバイダの優先および実績、ならびに戦略プロバイダにより実行される処置および活動に関する情報が含まれる。情報は、非専門家ユーザに包括的な情報を提供するために、および非専門家ユーザが決定を下すのを支援するために、同時に表示される。いくつかの実施形態によれば、トレーダは、取引プラットフォームを通じて、すべての戦略プロバイダ、これらのプロバイダの経歴および実績を検討することができ、この情報に基づき、反映したいプロバイダを選ぶことができる。いくつかの他の実施形態によれば、トレーダは、自分が選んだ戦略プロバイダにより行われる取引に関するデータをオンラインで得ることができ、１つまたは複数の取引に参加することを選ぶことができる。
【実施例１】
【００９５】
次に、本開示のいくつかの例示的実施形態による、金融商品の取引を手助けするための集中型機械の概略構成図を示す図１を参照する。集中型機械は、１つもしくは複数のコンピュータサーバ、または任意の他のコンピュータ化された機械を備えてもよい。いくつかの実施形態によれば、集中型機械は、取引に関する決定を下すために必要なすべての関連情報を専門職ではないトレーダに提供することにより、１つまたは複数の金融商品を取り引きしたい複数の専門職ではないトレーダの役に立つ。関連情報には、戦略プロバイダの優先およびオンライン活動が含まれる。いくつかの実施形態によれば、集中型機械１００は、受信機１１０、プロセッサ１２０、送信機１３０および記憶装置１４０を備える。いくつかの他の実施形態によれば、記憶装置１４０は、外部機器の中に存在する。
【００９６】
いくつかの実施形態によれば、受信機１１０は、金融商品の取引を手助けするリクエストを受信するように構成される。リクエストは、１つまたは複数の金融商品取引を実行したい１つまたは複数のトレーダにより実行される１つまたは複数のアプリケーションから受信されてもよい。いくつかの実施形態では、トレーダは、オンラインおよびオフラインの情報を、詳細には、戦略プロバイダの活動および戦略に関する情報を得たい、専門職ではないトレーダである。このような情報は、トレーダの取引を支援することがある。金融商品は、証券、オプション、株、債券、ミューチュアルファンド、または第１の通貨から第２の通貨への交換率；たとえば、ドルおよびユーロなどの間の交換率などであってもよい。トレーダは、取引の実行を支援する場合がある、オンラインの履歴情報を要求する。
【００９７】
いくつかの実施形態によれば、プロセッサ１２０は、金融商品の値の変化に関連する第１のデータを取り出すように、および戦略プロバイダの優先、実績および金融活動に関連する第２のデータを取り出すように構成される。第１のデータおよび第２のデータは、記憶装置１４０から取り出されてもよい。いくつかの実施形態では、第１のデータは、所定の時間フレームでの、金融商品の値の範囲をさらに備える。たとえば、金融商品がユーロおよび円の間の通貨交換率である場合、値の範囲は、換算率の最小値および最大値の間の範囲であってもよい。金融商品の現在の値および換算率は、インターネットから取り出されてもよい。いくつかの他の例示的実施形態では、プロセッサ１２０は、金融商品の市場動向を表す第３のデータを取り出すようにさらに構成される。プロセッサは、１つまたは複数の戦略プロバイダにより行われるオンライントレーダを１人または複数の他のトレーダに誘導するようにさらに構成される。
【００９８】
いくつかの実施形態によれば、送信機１３０は、第１のデータおよび第２のデータを要求元に同時に送信するように構成される。いくつかの他の実施形態によれば、送信機１３０は、第３のデータまたはこれ以外を同時に送信するようにさらに構成される。データを同時に送信することにより、ユーザの画面上にデータを同時に表示可能になる。いくつかの他の実施形態によれば、送信機は、１つまたは複数の戦略プロバイダにより行われるオンライントレーダを１人または複数の他のトレーダにリアルタイムで伝えるようにさらに構成される。
【００９９】
いくつかの実施形態によれば、記憶装置１４０は、第１のデータ、第２のデータおよび第３のデータを記憶するように構成される。このようなデータは、取引の値、購入数もしくは取引当たりの販売数に関連する履歴データ、または戦略プロバイダに関連する情報を含んでもよい。戦略プロバイダに関連する情報は、戦略プロバイダに関する経歴情報（経験など）、戦略プロバイダの優先、戦略プロバイダにより行われた取引、実績などを備えてもよい。
【０１００】
次に、本開示のいくつかの例示的実施形態による、金融商品の取引を手助けするための集中型方法の流れ図を表す図２を参照する。いくつかの実施形態によれば、本方法は、取引に関する決定を下すために必要な関連情報をすべてトレーダに提供することにより、詳細には、戦略プロバイダの活動および実績に関する情報を提供することにより、ならびに取引をトレーダが実行できるようにすることにより、１つまたは複数の金融商品を取り引きしたい複数のトレーダのためにサービスを提供する。
【０１０１】
２１０で、金融商品の取引を手助けするリクエストが、１つまたは複数のトレーダにより受信される。いくつかの実施形態では、トレーダは、取引を実行する前に、市場に関する情報、ならびに戦略プロバイダの活動および優先に関する情報を得たい専門職ではないトレーダである。
【０１０２】
２２０で、金融商品プロバイダの値の変化に関連する第１のデータが取り出される。値の変化に関連する履歴データが、記憶装置から取り出されてもよく、一方、現在の交換率に関連するデータなどのオンラインデータがＦＸＣＭなどの１つまたは複数の仲介業者から取り出されてもよい。
【０１０３】
２３０で、優先、金融活動および金融実績に関連する第２のデータが取り出される。このデータは、記憶装置から取り出されてもよい。
【０１０４】
２４０で、金融商品の市場動向に関連する第３のデータが取り出される。このデータは、記憶装置から取り出されてもよい。
【０１０５】
２５０で、第１のデータおよび第２のデータ、ならびに任意選択で他のデータがトレーダに送信される。いくつかの実施形態では、第１のデータは、所定の時間フレームでの、金融商品の値の範囲をさらに備える。いくつかの他の実施形態によれば、金融商品の市場動向に関連する第３のデータがさらに送信される。第１のデータ、第２のデータおよび第３のデータは、ユーザの、コンピュータ化されたディスプレイ上に同時に表示するために、同時に送信される。他の実施形態によれば、１つまたは複数の戦略プロバイダにより行われる取引に関連するデータが、１つまたは複数のトレーダに送信される。トレーダが、自分が反映したい戦略プロバイダを選ぶことができる。トレーダが選んだ戦略プロバイダにより取引が行われるとき、トレーダが取引を模倣することができるようになるように、トレーダに関連するデータが、トレーダにリアルタイムで送信される。
【０１０６】
２６０で、金融商品を購入する指示が、トレーダから受信される。いくつかの実施形態によれば、トレーダが取引に関する情報を受信し、受信した情報に基づき金融商品を購入することを決定した後に、購入指示は受信される。いくつかの他の実施形態によれば、指示は、戦略プロバイダの取引に参加した結果、受信される。
【０１０７】
２７０で、金融商品を販売する指示が、トレーダから受信される。いくつかの実施形態によれば、トレーダが取引に関する情報を受信し、受信した情報に基づき金融商品を販売することを決定した後に、購入指示は受信される。いくつかの他の実施形態によれば、指示は、戦略プロバイダの取引に参加した結果、受信される。
【０１０８】
２８０で、販売または購入の指示が実行される。
【０１０９】
次に、本開示のいくつかの例示的実施形態による、金融商品の取引を手助けするためのコンピュータ化された装置の概略構成図を示す図３を参照する。コンピュータ化された装置は、コンピュータ、ラップトップ、携帯電話などであってもよい。いくつかの実施形態によれば、コンピュータ化された装置は、取引に関連する情報をトレーダが問い合わせることができるようにすることにより、および情報をトレーダに同時に表示することにより、１つまたは複数の金融商品を取り引きしたい１人または複数の専門職ではないトレーダの役に立つことがある。このような情報は、金融商品の値の変化、市場動向、および戦略プロバイダの優先または金融活動などに関連する。コンピュータ化されたディスプレイ上に全情報を表示することにより、市場に関連する情報が、専門職ではないトレーダに提供され、さらに、優先に関する情報、および分野の熟練者である戦略プロバイダにより行われる取引に関する情報が、専門職ではないトレーダに提供される。
【０１１０】
いくつかの実施形態によれは、装置は、プロセッサ３１０、受信機モジュール３２０、表示装置３３０および送信機モジュール３４０を備える。
【０１１１】
いくつかの実施形態によれば、プロセッサ（３１０）は、前記金融商品の取引を手助けするリクエストを実行するためのものである。
【０１１２】
いくつかの実施形態によれば、送信機モジュール３４０は、金融商品に関連するデータを取り出すリクエストを送信するように、ならびに販売指示または購入指示、および任意選択で他のデータまたはリクエストを送信するように構成される。リクエストおよび指示は、集中型機械に送信される。
【０１１３】
いくつかの実施形態によれば、受信するモジュール３２０は、金融商品の値の変化に関連するデータを受信するように、ならびに１つまたは複数の戦略プロバイダの優先および金融活動に関連するデータを受信するように構成される。いくつかの他の実施形態によれば、受信するモジュール３２０は、金融商品の市場動向に関連するデータ、または任意の他のデータを受信するようにさらに構成される。
【０１１４】
いくつかの実施形態によれば、１つまたは複数の戦略プロバイダの金融活動に関連する受信データは、戦略プロバイダの実際の取引および信号を反映する。したがって、戦略プロバイダが取引を行うとき、トレーダが取引に参加することができるように、取引に関連するデータが受信され、トレーダの、コンピュータ化された装置上に表示される。したがって、専門職ではないトレーダは、熟練者の取引を模倣し、熟練者の経験によって利益を得ることができる。
【０１１５】
いくつかの他の実施形態によれば、表示装置３３０は、集中型機械から受信した情報を同時に表示するように、および購入指示または販売指示を行うグラフィカルオプション（ボタンなど）を提供するようにさらに構成される。データは、グラフ、図、表、ヒストグラムなど、またはこれらの任意の他の組合せを使用して表示されてもよい。表示されるデータには、一般的なデータ、および戦略プロバイダに関連するデータが含まれる。一般的なデータには、金融商品の値の変化、市場動向（景況感）、値の範囲などが含まれる。戦略プロバイダに関連するデータには、優先、購入または販売の指示、実績などが含まれる。いくつかの例示的実施形態では、１つまたは複数の戦略プロバイダにより行われる取引が、これらの取引にユーザが参加することができるようにするために、ディスプレイ上に表示される。
【０１１６】
いくつかの実施形態によれば、オーディオユニット（３５０）は、集中型機械から受信した情報を再生するようにさらに構成される。
【０１１７】
次に、本開示のいくつかの例示的実施形態による、金融商品の取引を手助けするためのコンピュータ化された方法の流れ図を示す図４を参照する。本方法は、１つまたは複数の金融商品を取り引きしたい１人または複数のトレーダに役に立つコンピュータ化された装置により使用されてもよい。
【０１１８】
４１０で、金融商品の取引を手助けするリクエストが実行される。リクエストは、トレーダのリクエストの結果として実行されてもよい。リクエストは、集中型機械に送信される。集中型機械は、取引に関連するデータを取り出し、要求元に情報を送信する。
【０１１９】
４２０で、集中型機械により送信されたデータが受信される。データには、金融商品の値の変化、および１つまたは複数の戦略プロバイダの優先が含まれる。いくつかの他の実施形態では、情報には、金融商品の市場動向がさらに含まれる。いくつかの例示的実施形態では、データには、所定の時間フレームでの、金融商品の値の範囲が含まれる。
【０１２０】
４３０で、包括的な情報をユーザに提供するために、受信データが表示装置上に同時に表示される。データは、グラフ、図、表、ヒストグラムなど、またはこれらの任意の他の組合せを使用して表示されてもよい。
【０１２１】
いくつかの例示的実施形態では、戦略プロバイダの取引および金融活動をトレーダが反映することができるようにするために、および１つまたは複数の取引にトレーダが参加することができるようにするために、表示されるデータには１つまたは複数の戦略プロバイダの取引が含まれる。
【０１２２】
４４０で、トレーダのリクエストの結果として、購入指示または販売指示が発行される。
【０１２３】
次に、本開示のいくつかの例示的実施形態による、金融商品の取引を手助けするための取引プラットフォーム５００の概略構成図を示す図５を参照する。取引プラットフォーム５００は、複数のトレーダから金融商品の取引を手助けするリクエストを受信するための、１つまたは複数の集中型機械１００を含む。１つまたは複数の集中型機械１００は、取引に関連する情報を取り出し、情報をトレーダに送信する。取引プラットフォーム５００はまた、１人または複数のトレーダが使用する１つまたは複数のコンピュータ化された機械３００を含む。コンピュータ化された機械３００は、金融商品の取引を手助けするリクエストをユーザが発行することができるようにするための、集中型機械１００から受信した情報を表示するための、および購入または販売のリクエストをユーザが発行することができるようにするためのディスプレイを含む。コンピュータ化された機械３００および集中型機械１００は、インターネットクラウド５１０を介して通信してもよい。
【０１２４】
次に、トレーダのために、コンピュータ化された機械のディスプレイ上に同時に表示されるデータの概略図を示す図６を参照する。このようなデータは、トレーダの取引を支援するために、トレーダのコンピュータ化された画面上に表示されてもよい。いくつかの例示的実施形態では、トレーダは、まず自分が行いたい取引のタイプを選ぶ。たとえば、トレーダは、１つまたは複数の対の通貨、たとえばドルからユーロ、ドルから円、およびドルから英貨の取引のために使用してもよい。いくつかの実施形態では、トレーダは、自分が知りたい、ならびに任意選択で１つまたは複数の戦略プロバイダの金融決定および優先を反映したい１つまたは複数の戦略プロバイダを選ぶ。戦略プロバイダに関する経歴情報（たとえば履歴書）、プロバイダの実績、プロバイダが使用する戦略などに従って選択が行われる。戦略プロバイダを選んだ後、トレーダは、取引に関する情報、戦略プロバイダの金融活動および優先に関する情報を、取引プラットフォームに要求する。情報は受信され、画面上に表示され、購入および／または販売の指示をトレーダが実行することが可能になる。図６は、特定の金融商品に関するプロバイダＡおよびＢから知ることを選んだトレーダの例示的ディスプレイを示す。ディスプレイ６００は、金融商品の値の変化を示すグラフ６１０、市場の動向（景況感）を表すグラフ６２０を示す。さらに、ディスプレイ６００は、サービスプロバイダＡの優先のグラフィック表現６３０、サービスプロバイダＢの優先のグラフィック表現６４０、サービスプロバイダＡの購入および販売の指示のグラフィック表現６５０、サービスプロバイダＢの購入および販売の指示のグラフィック表現６６０、サービスプロバイダＡの実績のグラフィック表現６７０、およびサービスプロバイダＢの実績のグラフィック表現６８０を含む。トレーダは、いつでも、提示された情報に基づき、販売ボタン６９０をクリックして金融商品を販売する、または購入ボタン６９５をクリックして金融商品を購入することを選ぶことができる。
【０１２５】
次に、ドルからユーロへの交換率について、市場動向、および戦略プロバイダの優先のヒストグラム７００を示す一例の画面を図式的に示す図７を参照する。
【０１２６】
次に、複数の対の通貨について市場動向の円グラフ８００を示す例示的画面を示す図８を参照する。
【実施例２】
【０１２７】
本開示のいくつかの例示的実施形態による、内科または外科的処置を実施するのを手助けする集中型機械の概略構成図を示す図１を再度参照する。集中型機械は、１つもしくは複数のコンピュータサーバ、または任意の他のコンピュータ化された機械を備えてもよい。いくつかの実施形態によれば、集中型機械は、内科もしくは外科的処置、または健康関連の行為を実施したい複数の非専門家の内科または外科の開業医の役に立つ。開業医には、内科または外科的処置に関する決定を下すために必要な関連情報が提供される。関連情報には、内科または外科の専門家の優先およびオンラインの活動、ならびに内科または外科の戦略プロバイダが含まれる。いくつかの実施形態によれば、集中型機械１００は、受信機１１０、プロセッサ１２０、送信機１３０および記憶装置１４０を備える。いくつかの他の実施形態によれば、記憶装置１４０は、外部機器の中に存在する。
【０１２８】
いくつかの実施形態によれば、受信機１１０は、内科もしくは外科的処置または活動を実施するのを手助けするリクエストを受信するように構成される。リクエストは、１つまたは複数の内科または外科的処置を実行したい１人または複数の非専門家の内科または外科の開業医により実行される１つまたは複数のアプリケーションから受信されてもよい。いくつかの実施形態では、内科または外科の開業医は、緊急事態、またはストレスを感じる状況、または大量の死傷者、または流行性の状況の下で、オンラインおよびオフラインの情報を、詳細には、内科もしくは外科の専門家または内科もしくは外科の戦略プロバイダの活動および戦略に関する情報を得たい、非専門家、看護師、または医療補助者である。このような情報は、非専門家の内科または外科的処置を支援する場合がある。非専門家は、内科または外科的処置の実行を支援することがある、オンラインの履歴情報を要求する。
【０１２９】
いくつかの実施形態によれば、プロセッサ１２０は、内科または外科的状態の値の変化に関連する第１のデータを取り出すように、および医療専門家、または内科もしくは外科の戦略プロバイダの優先、実績および活動に関連する第２のデータを取り出すように構成される。第１のデータおよび第２のデータは、記憶装置１４０から取り出されてもよい。いくつかの実施形態では、第１のデータは、所定の時間フレームでの内科または外科的状態の値の範囲をさらに備える。たとえば、流行病または核攻撃の間に、内科または外科的状態パラメータの値に変化がある場合がある。現在の内科または外科および疫学的な状態および死傷率を、インターネットから取り出してもよい。いくつかの他の例示的実施形態では、プロセッサ１２０は、内科または外科的状態または疾病の動向を表す第３のデータを取り出すようにさらに構成される。プロセッサは、内科または外科の開業医を、１つまたは複数の他の内科または外科の開業医に誘導するようにさらに構成される。
【０１３０】
いくつかの実施形態によれば、送信機１３０は、第１のデータおよび第２のデータを要求元／ユーザに同時に送信するように構成される。いくつかの他の実施形態によれば、送信機１３０は、第３のデータまたはこれ以外を同時に送信するようにさらに構成される。データを同時に送信することにより、ユーザの画面上にデータを同時に表示可能になる。いくつかの他の実施形態によれば、送信機は、オンラインになっている内科または外科の開業医を、１人または複数の他の医療開業医にリアルタイムに伝えるようにさらに構成されている。
【０１３１】
いくつかの実施形態によれば、記憶装置１４０は、第１のデータ、第２のデータおよび第３のデータを記憶するように構成される。このようなデータは、内科もしくは外科的状態値に関連する、または内科もしくは外科的処置の数に関連する、または死傷者の数に関連する履歴データ、または内科もしくは外科の戦略プロバイダに関連する情報を備えてもよい。戦略プロバイダに関連する情報は、内科または外科の専門家の戦略プロバイダに関する経歴情報（経験など）、専門家の戦略プロバイダの優先、戦略プロバイダにより行われる処置、実績などを備えてもよい。
【０１３２】
次に、本開示のいくつかの例示的実施形態による、内科または外科的処置を実施するのを手助けするための集中型方法の流れ図を表す図２を参照する。いくつかの実施形態によれば、本方法は、処置に関する決定を下すために必要な関連情報をすべて非専門家医師に提供することにより、詳細には、内科または外科の専門家、および内科または外科の戦略プロバイダの活動および優先に関する情報を提供することにより、ならびに処置を非専門家医師が実行することができるようにすることにより、内科または外科的処置を実施したい、複数の内科または外科の非専門家医師にサービスを提供する。
【０１３３】
２１０で、内科または外科的処置を手助けするリクエストが、１人または複数の非専門家医師により受信される。いくつかの実施形態では、ユーザは、処置を実行する前に、内科または外科的状況に関する情報、ならびに専門家医師および内科または外科の戦略プロバイダの活動および優先に関する情報を得たい看護師または医療補助者である。
【０１３４】
２２０で、内科または外科的状態の値の変化に関連する第１のデータが取り出される。値の変化に関連する履歴データが、記憶装置から取り出されてもよく、一方、現在の値に関連するデータなどのオンラインデータが、１つまたは複数の情報源から取り出されてもよい。
【０１３５】
２３０で、優先、活動および実績に関連する第２のデータが取り出される。このデータは、記憶装置から取り出されてもよい。
【０１３６】
２４０で、内科または外科的状況の内科または外科的結果の動向に関連する第３のデータが取り出される。このデータは、記憶装置から取り出されてもよい。
【０１３７】
２５０で、第１のデータおよび第２のデータ、ならびに任意選択で他のデータが非専門家医師に送信される。いくつかの実施形態では、第１のデータは、所定の時間フレームでの内科または外科的結果の値の範囲をさらに備える。いくつかの他の実施形態によれば、内科または外科的結果の動向に関連する第３のデータがさらに送信される。第１のデータ、第２のデータおよび第３のデータは、ユーザの、コンピュータ化されたディスプレイ上に同時に表示するために、同時に送信される。他の実施形態によれば、１人もしくは複数の内科もしくは外科の専門家、または内科もしくは外科の戦略プロバイダにより行われる内科または外科的処置に関連するデータが、１人または複数の非専門家医師に送信される。非専門家医師は、自分が模倣したい１人または複数の専門家医師、または内科もしくは外科の戦略プロバイダを選ぶことができる。ユーザである非専門家医師が選んだ戦略プロバイダにより処置が行われるとき、内科または外科的処置をユーザである非専門家医師が模倣することができるように、処置に関連するデータが、ユーザである非専門家医師にリアルタイムで送信される。
【０１３８】
２６０で、内科または外科的処置を実施する指示が、ユーザである非専門家医師から受信される。いくつかの実施形態によれば、ユーザである非専門家医師が処置に関する情報を受信し、受信した情報に基づき処置を実施することを決定した後に、指示は受信される。いくつかの他の実施形態によれば、指示は、内科もしくは外科のプロジェクト、または内科もしくは外科の戦略プロバイダのチームに参加した結果として受信される。
【０１３９】
２７０で、内科または外科的処置または活動を手助けするための命令が、ユーザである非専門家医師から受信される。いくつかの実施形態によれば、非専門家医師が、内科または外科の状況または処置に関する情報を受信し、かつ受信した情報に基づき内科または外科の取組みを実施する、またはこの取組みに参加することを決定した後に、手助けする指示が受信される。
【０１４０】
２８０で、内科または外科的処置または活動を手助けするための命令が実行される。
【０１４１】
次に、本開示のいくつかの例示的実施形態による、内科または外科的処置または活動のための命令を手助けするためのコンピュータ化された装置の概略構成図を示す図３を参照する。コンピュータ化された装置は、コンピュータ、ラップトップ、携帯電話などであってもよい。いくつかの実施形態によれば、コンピュータ化された装置は、内科または外科的処置または医療状況に関連する情報をユーザである非専門家医師が問い合わせることができるようにすることにより、およびユーザである非専門家医師に情報を同時に表示することにより、内科もしくは外科的処置を実施したい、またはその場限りの内科もしくは外科チームに参加したい１人または複数の非専門家医師に役立つことがある。このような情報は、内科または外科の状態、動向の値の変化に、ならびに内科もしくは外科の専門家および／または内科もしくは外科の戦略プロバイダの優先もしくは活動などに関連する。コンピュータ化されたディスプレイ上に全情報を表示することにより、内科または外科的状況に関連する知識が非専門家医師に提供され、さらに、優先に関する情報、ならびに専門家医師、および内科または外科の分野の熟練者である戦略プロバイダにより行われる内科または外科的処置に関する情報が非専門家医師に提供される。
【０１４２】
いくつかの実施形態によれは、装置は、プロセッサ３１０、受信機モジュール３２０、表示装置３３０および送信機モジュール３４０を備える。
【０１４３】
いくつかの実施形態によれば、プロセッサ（３１０）は、内科もしくは外科的処置、または内科もしくは外科の活動に関する意思決定過程を手助けするリクエストを実行するためのものである。
【０１４４】
いくつかの実施形態によれば、送信機モジュール３４０は、金融商品に関連するデータを取り出すリクエストを送信するように、ならびに可能な指示の範囲から指示Ａまたは指示Ｂ、および任意選択で他のデータまたはリクエストを送信するように構成される。リクエストおよび指示は、集中型機械に送信される。
【０１４５】
いくつかの実施形態によれば、受信するモジュール３２０は、内科または外科的状況の値の変化に関連するデータを受信するように、ならびに１つまたは複数の内科または外科の戦略プロバイダの優先および活動に関連するデータを受信するように構成される。いくつかの他の実施形態によれば、受信するモジュール３２０は、内科または外科の結果の、内科または外科の動向に関連するデータ、または任意の他のデータを受信するようにさらに構成される。いくつかの実施形態によれば、１つまたは複数の戦略プロバイダの活動に関連する受信データは、内科または外科的な実際の処置、および専門家の医師、または内科もしくは外科の戦略プロバイダの推奨を表す。したがって、戦略プロバイダが処置を行う、または処置を推奨するとき、非専門家医師が内科もしくは外科的処置に関与する、または内科もしくは外科のチーム、または内科もしくは外科的取組みに参加することができるように、内科または外科的処置に関連するデータが受信され、非専門家医師のコンピュータ化された装置上に表示される。したがって、非専門家医師が、熟練者の処置を模倣し、熟練者の経験によって利益を得ることができる。
【０１４６】
いくつかの他の実施形態によれば、表示装置３３０は、集中型機械から受信した情報を同時に表示するように、および内科もしくは外科的処置または投薬計画を行うためのグラフィカルオプション（ボタンなど）を提供するようにさらに構成される。データは、グラフ、図、表、ヒストグラムなど、またはこれらの任意の他の組合せを使用して表示されてもよい。表示されるデータには、一般的なデータ、および戦略プロバイダに関連するデータが含まれる。一般的なデータには、１つまたは複数の事例の内科または外科的状態の値の変化、動向、推奨動向、値の範囲などが含まれる。戦略プロバイダに関連するデータには、優先、一方の手術もしくは他の手術ありの収入
または手術なしの収入、実績などが含まれる。いくつかの例示的実施形態では、１つまたは複数の戦略プロバイダにより行われる内科または外科的処置が、これらの活動にユーザが参加できるようにするために、ディスプレイ上に表示される。
【０１４７】
いくつかの実施形態によれば、オーディオユニット（３５０）は、集中型機械から受信した情報を再生するようにさらに構成される。
【０１４８】
次に、本開示のいくつかの例示的実施形態による、内科または外科的処置の前またはこの間の意思決定を手助けするためのコンピュータ化された方法の流れ図を示す図４を参照する。本方法は、内科または外科的処置または活動を実施したい１人または複数の専門家医師の役に立つ、コンピュータ化された装置により使用されてもよい。
【０１４９】
４１０で、内科または外科的処置または活動を手助けするリクエストが実行される。リクエストは、ユーザリクエストの結果として実行されてもよい。リクエストは、集中型機械に送信される。集中型機械は、内科または外科の事例または状況に関連するデータを取り出し、要求元に情報を送信する。
【０１５０】
４２０で、集中型機械により送信されたデータが受信される。データには、内科または外科的状態の値の変化、および１つまたは複数の戦略プロバイダの優先が含まれる。いくつかの他の実施形態では、情報には、内科または外科の条件に対する内科または外科の結果の動向がさらに含まれる。いくつかの例示的実施形態では、データには、所定の時間フレームでの内科または外科の結果の値の範囲が含まれる。
【０１５１】
４３０で、包括的な情報をユーザに提供するために、受信されたデータが表示装置上に同時に表示される。データは、グラフ、図、表、ヒストグラムなど、またはこれらの任意の他の組合せを使用して表示されてもよい。
【０１５２】
いくつかの例示的実施形態では、内科または外科的処置、および戦略プロバイダの活動を、非専門家医師が反映するまたは模倣することができるように、および１つまたは複数の内科または外科的処置、手術、活動またはチームに非専門家医師が関与する、または参加することができるように、表示されるデータには、内科もしくは外科的処置、または１つもしくは複数の内科もしくは外科の戦略プロバイダの活動が含まれる。
【０１５３】
４４０で、非専門家医師のリクエストの結果として、内科または外科的指示が発行される。
【０１５４】
次に、本開示のいくつかの例示的実施形態による、内科または外科の意思決定を手助けするための内科または外科の情報プラットフォーム５００の概略構成図を示す図５を参照する。プラットフォーム５００は、複数の非専門家医師から内科または外科的処置を手助けするリクエストを受信するための、１つまたは複数の集中型機械１００を含む。１つまたは複数の集中型機械１００は、取引に関連する情報を取り出し、情報を非専門家医師に送信する。プラットフォーム５００はまた、１人または複数の非専門家医師が使用する１つまたは複数のコンピュータ化された機械３００を含む。コンピュータ化された機械３００は、内科もしくは外科的処置または内科もしくは外科的活動を手助けするリクエストをユーザが発行することができるようにするための、集中型機械１００から受信した情報を表示するための、および内科または外科のリクエストをユーザが発行することができるようにするためのディスプレイを含む。コンピュータ化された機械３００および集中型機械１００は、インターネットクラウド５１０を介して通信してもよい。
【０１５５】
ユーザである非専門家医師のために、コンピュータ化された機械のディスプレイ上に同時に表示されるデータの概略図を示す図６を参照する。このようなデータは、ユーザの、内科もしくは外科的処置または内科もしくは外科的活動を支援するために、ユーザの、コンピュータ化された画面上に表示されてもよい。いくつかの例示的実施形態では、非専門家医師は、自分が行いたい処置のタイプをまず選ぶ。たとえば、特定の内科または外科的状況に直面して、非専門家医師は、根治的な手法および保存的な標準的手法から選びたい場合がある。いくつかの実施形態では、非専門家医師は、自分が知りたい、および任意選択で１つもしくは複数の内科もしくは外科の戦略プロバイダの内科もしくは外科的決定および優先を反映または模倣したい１つもしくは複数の内科もしくは外科の戦略プロバイダを選ぶ。戦略プロバイダに関する経歴情報（たとえば、より広い内科または外科の社会での地位）、プロバイダの実績、プロバイダが使用する戦略などに従って選択が行われる。戦略プロバイダを選んだ後、非専門家医師は、処置に関する情報、戦略プロバイダの過去の結果および優先に関する情報を、内科または外科の情報プラットフォームに要求する。情報は受信され、画面上に表示され、情報に基づく内科または外科的決定をトレーダが行うことができるようになる。
【０１５６】
図６は、内科または外科の戦略プロバイダＡおよびＢから、内科もしくは外科的処置、内科もしくは外科的条件、または内科もしくは外科的状況に関して具体的に知ることを選んだ非専門家医師の一例のディスプレイを示す。ディスプレイ６００は、内科または外科的結果の値の変化を示すグラフ６１０、動向を表すグラフ６２０を示す。さらに、ディスプレイ６００は、内科もしくは外科の専門家または内科もしくは外科の戦略プロバイダＡの優先のグラフィック表現６３０、内科もしくは外科の専門家または内科もしくは外科の戦略プロバイダＢの優先のグラフィック表現６４０、専門的知識プロバイダＡの決定または推奨のグラフィック表現６５０、専門的知識プロバイダＢの決定または推奨のグラフィック表現６６０、プロバイダＡの実績のグラフィック表現６７０、およびプロバイダＢの実績のグラフィック表現６８０を含む。ユーザである非専門家医師は、いつでも、提示された情報に基づき、ボタン６９０をクリックして特定の処置を命令することを選択する、またはボタン６９５をクリックして他の処置を選ぶことができる。
【図１】
2014512592.tif 000003
【図２】
2014512592.tif 000004
【図３】
2014512592.tif 000005
【図４】
2014512592.tif 000006
【図５】
2014512592.tif 000007
【図６】
2014512592.tif 000008
【図７】
2014512592.tif 000009
【図８】
2014512592.tif 000010
【手続補正書】
【提出日】平成25年11月11日(2013.11.11)
【手続補正１】
【補正対象書類名】特許請求の範囲
【補正対象項目名】全文
【補正方法】変更
【補正の内容】
【特許請求の範囲】
【請求項１】
画面上にデータを同時に表示する方法であって：
ｘｉｉ．可能な操作のリストから、実行可能な操作を選択するのを手助けするリクエストを受信するステップ；
ｘｉｉｉ．前記操作を実行した結果の値の変化に関連する第１のオンラインデータを取り出すステップ；
ｘｉｖ．１つまたは複数の戦略プロバイダの優先、活動および実績に関連する第２のデータをオンラインで取り出すステップ；および
ｘｖ．遠隔のコンピュータ化された機器のディスプレイ上で前記第１のデータおよび前記第２のデータを同時に利用可能にするために、前記遠隔のコンピュータ化された機器に前記第１のデータおよび前記第２のデータを同時に送信するステップ
を備える方法。
【請求項２】
金融商品を購入するための命令を受信するステップをさらに備える、請求項１に記載の方法。
【請求項３】
内科または外科的処置を実施するための命令を受信するステップをさらに備える、請求項１に記載の方法。
【請求項４】
投薬計画を実施するための命令を受信するステップをさらに備える、請求項１に記載の方法。
【請求項５】
物流手順を実施するための命令を受信するステップをさらに備える、請求項１に記載の方法。
【請求項６】
処理操作を実施するための命令を受信するステップをさらに備える、請求項１に記載の方法。
【請求項７】
前記命令を実行するステップをさらに備える、請求項１に記載の方法。
【請求項８】
前記実行するステップのやり方が、操作する、伝達する、交換する、置換する、誘導する、配置する、位置を突き止める、供給する、判定する、見つけ出す、選択する、取得する、取り除く、売却する、追加する、減じる、契約する、連絡する、購入する、販売する、カテゴリ化する、シミュレートする、分類する、表示する、計算する、ダウンロードする、アップロードする、プッシュする、プルする、および送信するからなるグループから選択される、請求項１に記載の方法。
【請求項９】
金融商品を販売するための販売指示を受信するステップをさらに備える、請求項１に記載の方法。
【請求項１０】
前記金融商品は、証券、オプション、株、債券およびミューチュアルファンドからなるグループのうち１つのメンバを備える；請求項１に記載の方法。
【請求項１１】
前記販売指示を実行するステップをさらに備える、請求項１に記載の方法。
【請求項１２】
前記取り出すステップは、前記結果の動向に関連する第３のデータを取り出すステップをさらに備え、前記同時に送信するステップは、前記第３のデータをさらに備える、請求項１に記載の方法。
【請求項１３】
前記第１のデータは、所定の時間フレームでの前記結果の値の範囲に関連するデータをさらに備える、請求項１に記載の方法。
【請求項１４】
前記結果は、オブジェクトまたは金融商品の第１の値および第２の値の間の差である；請求項１に記載の方法。
【請求項１５】
前記第１のデータ、前記第２のデータが前記ディスプレイ上の別個の領域に表示されるように、前記ステップは、前記遠隔のコンピュータ化された機器の前記ディスプレイを構成するステップをさらに備える；請求項１に記載の方法。
【請求項１６】
前記第３のデータが前記ディスプレイ上の別個の領域に表示されるように、前記ステップは、前記遠隔のコンピュータ化された機器の前記ディスプレイを構成するステップをさらに備える；請求項１に記載の方法。
【請求項１７】
コンピュータ実装取引プラットフォームにおいて同時に存在する戦略プロバイダの情報、優先および決定をユーザに提供するデータを画面上に同時に表示するための、コンピュータ化された装置であって：
ｉ．可能な操作のリストから、実行可能な操作を選択するリクエストを受信するように構成された受信機モジュール（１１０）；
ｉｉ．前記操作を実行した結果の値の変化に関連する第１のデータを取り出すように、および戦略プロバイダの優先、実績および活動に関連する第２のデータをオンラインで取り出すように構成されたプロセッサ（１２０）；
ｉｉｉ．前記第１のデータおよび前記第２のデータを同時に送信するように；前記第１のデータおよび前記第２のデータを遠隔のコンピュータ化された機器上のディスプレイ上で前記ユーザに同時に利用可能にするように構成された送信機モジュール（１３０）を備え、前記プロセッサは、前記操作を実行した前記結果の動向に関連する第３のデータの情報をオンラインで取り出すようにさらに構成され、前記送信機モジュールは、前記第３のデータを同時に送信するようにさらに構成されるコンピュータ化された装置。
【請求項１８】
前記受信機モジュールは、金融商品を購入するための命令を受信するように構成される、請求項１７に記載のコンピュータ化された装置。
【請求項１９】
内科または外科的処置を実施するための命令である、請求項１７に記載のコンピュータ化された装置。
【請求項２０】
前記受信機モジュールは、投薬計画を実施するための命令を受信するように構成される、請求項１７に記載のコンピュータ化された装置。
【請求項２１】
前記受信機モジュールは、物流手順を実施するための命令を受信するように構成される、請求項１７に記載のコンピュータ化された装置。
【請求項２２】
前記受信機モジュールは、処理操作を実施するための命令を受信するように構成される、請求項１７に記載のコンピュータ化された装置。
【請求項２３】
前記受信機モジュールは、前記命令を実行するステップを受信するように構成される、請求項１７に記載のコンピュータ化された装置。
【請求項２４】
前記実行するステップのやり方が、操作する、伝達する、交換する、置換する、誘導する、配置する、位置を突き止める、供給する、判定する、見つけ出す、選択する、取得する、取り除く、売却する、追加する、減じる、契約する、連絡する、購入する、販売する、表示する、計算する、ダウンロードする、アップロードする、プッシュする、プルする、および送信するからなるグループから選択される、請求項１７に記載のコンピュータ化された装置。
【請求項２５】
金融商品を販売するための販売指示を受信するようにさらに構成される、請求項１７に記載のコンピュータ化された装置。
【請求項２６】
前記金融商品は、証券、オプション、株、債券およびミューチュアルファンドからなるグループのうち１つのメンバを備える、請求項１７に記載のコンピュータ化された装置。
【請求項２７】
前記販売指示を実行するように構成される、請求項１７に記載のコンピュータ化された装置。
【請求項２８】
前記プロセッサは、前記結果の動向に関連する第３のデータを取り出すように構成され、前記同時に送信するステップは、前記第３のデータをさらに備える、請求項１７に記載のコンピュータ化された装置。
【請求項２９】
前記プロセッサは、前記第１のデータを処理するように構成され、前記第１のデータは、所定の時間フレームでの前記結果の値の範囲に関連する、請求項１７に記載のコンピュータ化された装置。
【請求項３０】
前記送信機モジュールは、前記結果を送信するように構成され、前記結果は、オブジェクトの第１の値および第２の値の差である、請求項１７に記載のコンピュータ化された装置。
【国際調査報告】
2014512592.tif 000011
2014512592.tif 000012